(57)【特許請求の範囲】
【請求項１】
端子収容室内の圧接端子に対して電線を圧接させるための開口を有するコネクタハウジングを、前記開口を上下壁のいずれかに有するハウジング本体と、該開口を塞ぐカバーとで構成し、該カバーをハウジング本体にヒンジを介して一体的に連結し、該カバーの外面の前記ヒンジと反対側の部分に、合体コネクタを構成するときに結合相手のコネクタハウジングの対向面に形成された係合凹部と嵌合することでコネクタハウジング同士の結合を行う係合凸部を突設したことを特徴とする圧接コネクタ。
【請求項２】
請求項１記載の圧接コネクタを複数上下に積み重ね、前記カバーに形成された係合凸部を、結合相手の圧接コネクタのコネクタハウジングに形成された係合凹部に嵌合することで、隣接する圧接コネクタ同士を結合してなることを特徴とする合体コネクタ。
【請求項３】
請求項２記載の合体コネクタであって、
前記係合凸部及び係合凹部を、コネクタハウジングの左右方向に配列された複数の端子収容室にわたる長さの横長形状に形成したことを特徴とする合体コネクタ。
【請求項４】
請求項２または３に記載の合体コネクタであって、
前記係合凸部及び係合凹部をコネクタハウジングの後端側に配すると共に、これとは別にコネクタハウジングの前端側に係合部を設け、隣接する圧接コネクタの前記係合部同士を係合することにより、隣接する圧接コネクタ同士の結合を強化したことを特徴とする合体コネクタ。
【発明の詳細な説明】
【０００１】
【発明の属する技術分野】
本発明は、圧接コネクタ及び該圧接コネクタを上下に積み重ねて相互に結合してなる合体コネクタに関する。
【０００２】
【従来の技術】
図４は特開平１０−９２５０８号公報に記載された合体コネクタの結合前の状態を示す斜視図、図５は結合した後の状態を示す斜視図である。
【０００３】
この合体コネクタは、圧接コネクタを複数段積み重ねる形式のもので、下段コネクタハウジング１の上に上段コネクタハウジング２を積み重ね、上段コネクタハウジング２の上面後半部の開口にカバー３を被せて、全体を一体に結合したものである。
【０００４】
この場合の部材間の結合は、下段コネクタハウジング１と上段コネクタハウジング２の間の結合については、下段コネクタハウジング１の後端左右側部に設けた上部可撓ロック爪４に上段コネクタハウジング２の後端左右側部に設けた下部可撓ロック爪５を係合すると共に、下段コネクタハウジング１の前後方向中間部の左右側部に設けた上部係合凹部６に上段コネクタハウジング２の前後方向中間部の左右側部に設けた下部係合凸部７を係合することにより行い、上段コネクタハウジング２とカバー３の間の結合については、上段コネクタハウジング２の後端左右側部に設けた上部可撓ロック爪４にカバー３の後端左右側部に設けた可撓ロック爪５を係合すると共に、上段コネクタハウジング２の前後方向中間部の左右側部に設けた上部係合凹部６にカバー３の前部の左右側部に設けた係合凸部７を係合することにより行っている。
【０００５】
【発明が解決しようとする課題】
ところで、上記従来の合体コネクタでは、下段コネクタハウジング１の開口を上段コネクタハウジング２の底面で塞ぐようにしており、上下に積み重ねるコネクタハウジング１，２とは別に開口を塞ぐためのカバー３を用意していたので、互いに分離した部品の点数が多かった。また、各段のコネクタハウジング１，２の左右両側部やカバー３の左右両側部に結合用の可撓ロック爪４，５を設けていたので、左右幅寸法が拡大するという問題があった。
【０００６】
本発明は、上記事情を考慮し、部品点数を削減すると共に、左右幅寸法の縮小を図ることのできる圧接コネクタ及びそれを積み重ねて構成した合体コネクタを提供することを目的とする。
【０００７】
【課題を解決するための手段】
請求項１の発明の圧接コネクタは、端子収容室内の圧接端子に対して電線を圧接させるための開口を有するコネクタハウジングを、前記開口を上下壁のいずれかに有するハウジング本体と、該開口を塞ぐカバーとで構成し、該カバーをハウジング本体にヒンジを介して一体的に連結し、該カバーの外面の前記ヒンジと反対側の部分に、合体コネクタを構成するときに結合相手のコネクタハウジングの対向面に形成された係合凹部と嵌合することでコネクタハウジング同士の結合を行う係合凸部を突設したことを特徴とする。
【０００８】
この圧接コネクタは、コネクタハウジングに一体にカバーを設けているので、分離した部品の点数を削減することができる。また、カバーに係合凸部を設けているので、その係合凸部を合体相手の圧接コネクタの係合凹部に嵌合することにより、合体コネクタを構成することもできる。また、カバーに突設した係合凸部は、カバーを開閉する際の指当てとして利用することができるので、カバーの開閉操作がやりやすくなる。また、カバーの外面に、合体用の係合凸部を設けているので、カバーとハウジング本体のロック部をコネクタハウジングの左右側部に設けても、それと干渉しない位置に係合凸部を配置することができる。従って、コネクタハウジングの左右側部に余分な係合手段を設けずにすみ、その分、圧接コネクタの左右幅寸法を縮小することができる。
【０００９】
請求項２の発明の合体コネクタは、請求項１記載の圧接コネクタを複数上下に積み重ね、前記カバーに形成された係合凸部を、結合相手の圧接コネクタのコネクタハウジングに形成された係合凹部に嵌合することで、隣接する圧接コネクタ同士を結合してなることを特徴とする。
【００１０】
この合体コネクタは、請求項１の発明の圧接コネクタを積み重ねて構成しているので、請求項１の発明の作用をそのまま奏することができ、部品点数を削減することができるし、左右幅寸法の縮小を図ることができる。
【００１１】
請求項３の発明は、請求項２記載の合体コネクタであって、前記係合凸部及び係合凹部を、コネクタハウジングの左右方向に配列された複数の端子収容室にわたる長さの横長形状に形成したことを特徴とする。
【００１２】
この合体コネクタでは、係合凸部及び係合凹部を、複数の端子収容室にわたる長さの横長形状に形成しているので、これら係合凸部と係合凹部による結合力をコネクタハウジングの左右方向の広い範囲にわたって及ぼすことができる。
【００１３】
請求項４の発明は、請求項２または３に記載の合体コネクタであって、前記係合凸部及び係合凹部をコネクタハウジングの後端側に配すると共に、これとは別にコネクタハウジングの前端側に係合部を設け、隣接する圧接コネクタの前記係合部同士を係合することにより、隣接する圧接コネクタ同士の結合を強化したことを特徴とする。
【００１４】
この合体コネクタは、コネクタハウジングの後端側の係合部（係合凸部と係合凹部）と前端側の係合部により、コネクタハウジング同士を結合しているので、コネクタハウジングの全体にわたり強固な結合状態を維持することができる。
【００１５】
【発明の実施の形態】
以下、本発明の実施形態を図面に基づいて説明する。
【００１６】
図１は２つの圧接コネクタ１１，１２を合体して合体コネクタ１０を構成する場合の合体前の状態を示す斜視図である。
【００１７】
この合体コネクタ１０は、合成樹脂製のコネクタハウジング１１Ａ，１２Ａの後端より電線Ｗを後方に引き出した２つの圧接コネクタ１１，１２を、上下に積み重ねて相互に結合してなるものである。各圧接コネクタ１１，１２のコネクタハウジング１１Ａ，１２Ａは、それぞれハウジング本体１３，１５と、ハウジング本体１３，１５の下面開口（電線圧接時には通常この下面が上向きにされる）を塞ぐカバー１４，１６とから構成されている。下面開口は、ハウジング本体１３，１５の端子収容室２１内に収容された図示略の圧接端子に電線Ｗを圧接する作業を行うためのもので、ハウジング本体１３，１５の下面壁の後半部に設けられている。
【００１８】
カバー１４，１６は、図示略の圧接端子に電線Ｗを圧接した後に前記開口を閉じるものであり、ハウジング本体１３，１５に図示略のヒンジで一体に連結されている。ヒンジは、開口を閉じた状態にしたときのカバー１４，１６の前端と、ハウジング本体１３，１５の下面開口の前側の下面壁との間に配されている。
【００１９】
カバー１４，１６の先端左右両側部には、ハウジング本体１３，１５側のロック部２９と係合するロック部２８が設けられ、ハウジング本体１３，１５の開口を閉じた状態でカバー１４，１６をロックできるようになっている。
【００２０】
また、各圧接コネクタ１１，１２のカバー１４，１６の先端（開口を塞いだ状態のときは後端になる）の外面（開口を塞いだときに外面となる面）には係合凸部２６が設けられ、下段側となる圧接コネクタ１１の後端上面には、前記係合凸部２６が嵌合する係合凹部２７が設けられている。係合凸部２６及び係合凹部２７は、コネクタハウジング１１Ａ，１２Ａの左右方向に配列された複数の端子収容室２１にわたる長さの横長形状に形成されている。
【００２１】
図２（ａ）は上段の圧接コネクタ１２を単体で使用する場合の側面図、図２（ｂ）は上段の圧接コネクタ１２の下側に下段の圧接コネクタ１１を２段に積層した場合の合体コネクタの側面図である。
【００２２】
上下に積み重ねるコネクタハウジング１１Ａ，１２Ａの前部の対向面には、上下方向に押し込み力を作用させることで互いに嵌合する凹凸式の係合部２４，２５が設けられている。これらの係合部２４，２５は、ありつぎ形のジョイントとして構成されており、図３（ｂ）に示すように、片方の係合部２４が「あり」形に形成され、もう片方の係合部２５が「あり溝」形に形成されている。ここでは前者の「あり」形の係合部２４が上段側のコネクタハウジング１２Ａ，１１Ａを構成するハウジング本体１３，１５の下面に形成され、後者の「あり溝」形の係合部２５が下段側のコネクタハウジング１１Ａを構成するハウジング本体１５の上面に形成されている。
【００２３】
この場合、ありつぎ形の係合部２４，２５は、コネクタハウジング１１Ａ，１２Ａの左右方向に間隔をおいて複数配設され、これらの係合部２４，２５によって上下の圧接コネクタ１２，１１の左右方向の位置決めを行うことができるようになっている。
【００２４】
また、前記係合凸部２６及び係合凹部２７についても、図３（ａ）に示すように、ありつぎ形のジョイントとして構成されている。この場合は、横長形状の係合凸部２６及び係合凹部２７の長手方向両端に係合面となる傾斜面２６ａ，２７ａが設けられている。
【００２５】
なお、上段の圧接コネクタ１２は常に上段に位置するものであり、相手コネクタと嵌合した際に相互ロックするためのロックアーム１７を、コネクタハウジング１２Ａの上面に有している。
【００２６】
次に組み立て手順と作用を説明する。
【００２７】
この合体コネクタ１０を組み立てる場合は、まず、合体する前に予め、個別に圧接コネクタ１１，１２を組み立てて完成させておく。すなわち、各圧接コネクタ１１，１２のコネクタハウジング１１Ａ，１２Ａの端子収容室２１に圧接端子をセットし、各圧接端子に開口を通して電線を圧接する。次いで、カバー１４，１６でハウジング本体１３，１５の開口を塞ぎ、カバー１４，１６とハウジング本体１３，１５をロック部２８，２９でロックすることにより、単体の圧接コネクタ１１，１２を完成させる。このカバー１４，１６を操作する際に、カバー１４，１６の先端外面に設けた係合凸部２６を指当てとして利用することができるので、カバー１４，１６の閉じ操作がやりやすい。尚、この係合凸部２６は図示しない相手コネクタとの嵌合、離脱時の指当てにもなるので、相手コネクタと嵌合等する際の操作もやりやすい。
【００２８】
次に、下段の圧接コネクタ１１の上に上段の圧接コネクタ１２を配置し、下段の圧接コネクタ１１の後端上面の係合凹部２７に対して、上段の圧接コネクタ１２のカバー１４に設けた係合凸部２６を嵌合させながら、下段の圧接コネクタ１１の上面に上段の圧接コネクタ１２を載せる。そして、上段の圧接コネクタ１２を強く押し下げることで、上段のコネクタハウジング１２Ａの前部下面の「あり」形の係合部２４を、下段のコネクタハウジング１１Ａの「あり溝」形の係合部２５に係合させる。これにより、２段形の合体コネクタ１０が出来上がる。
【００２９】
このように構成した合体コネクタ１０では、コネクタハウジング１１Ａ，１２Ａ毎に一体にカバー１４，１６を設けているので、分離した部品の点数を削減することができる。また、カバー１４，１６の外面に、合体用の係合凸部２６を設けているので、コネクタハウジング１１Ａ，１２Ａの左右側部に設けたカバー１４，１６とハウジング本体１３，１５のロック部２８，２９の邪魔にならず、圧接コネクタ１１，１２の左右幅寸法を縮小することができる。また、係合凸部２６及び係合凹部２７を、複数の端子収容室２１にわたる長さの横長形状に形成しているので、これら係合凸部２６と係合凹部２７による結合力をコネクタハウジング１１Ａ，１２Ａの左右方向の広い範囲にわたって及ぼすことができる。
【００３０】
尚、この合体コネクタ１０を構成する上段の圧接コネクタ１２は、図２（ａ）に示すように単体で使用することができる。また、図２（ｂ）に示すように、下段の圧接コネクタ１１の下に更に下段側の圧接コネクタ１１を付け足していくことで、３段以上の合体コネクタを構成することも容易にできる。
【００３１】
【発明の効果】
以上説明したように、請求項１の発明によれば、コネクタハウジングに一体にカバーを設けたので、分離した部品の点数を削減することができる。また、カバーに合体用の係合凸部を設けているので、その係合凸部を合体相手の圧接コネクタの係合凹部に嵌合することにより、合体コネクタを構成することもできる。また、カバーに突設した係合凸部は、カバーを開閉する際の指当てとして利用することができることから、カバーの開閉操作がやりやすくなる。さらに、カバーの外面に合体用の係合凸部があるので、カバーとハウジング本体のロック部をコネクタハウジングの左右側部に設けた場合も、それと干渉しない位置に係合凸部を自由に配置することができ、それによりコネクタハウジングの左右側部に余分な係合手段を設ける必要がなくなり、その分、圧接コネクタの左右幅寸法を縮小することができる。
【００３２】
請求項２の発明によれば、請求項１の発明の圧接コネクタを積み重ねることで構成しているので、請求項１の発明の効果と同様に、部品点数を削減することができるし、左右幅寸法の縮小を図ることができる。
【００３３】
請求項３の発明によれば、係合凸部及び係合凹部を、複数の端子収容室にわたる長さの横長形状に形成しているので、これらによる結合力をコネクタハウジングの左右方向の広い範囲にわたって及ぼすことができる。
【００３４】
請求項４の発明によれば、コネクタハウジングの後端側の係合部と前端側の係合部により、コネクタハウジング同士を結合するので、コネクタハウジングの全体にわたり強固な結合を行うことができる。
【図面の簡単な説明】
【図１】本発明の実施形態の圧接コネクタで合体コネクタを構成する場合の合体前の状態を示す斜視図である。
【図２】本発明の実施形態の圧接コネクタの使用形態を示す図で、（ａ）は圧接コネクタを単体で使用する場合の側面図、（ｂ）は圧接コネクタを３段に積み重ねて合体コネクタを構成した場合の側面図である。
【図３】（ａ）は図２（ｂ）のＸ矢視部の拡大図、（ｂ）は図２（ｂ）のＹ矢視部の拡大図である。
【図４】従来の合体コネクタの分解斜視図である。
【図５】従来の合体コネクタの組み立て状態の斜視図である。
【符号の説明】
１０  合体コネクタ
１１，１２  圧接コネクタ
１１Ａ，１２Ａ  コネクタハウジング
１３，１５  ハウジング本体
１４，１６  カバー
２１  端子収容室
２４，２５  係合部
２６  係合凸部
２７  係合凹部
【図１】
0003701517.tif 000002
【図２】
0003701517.tif 000003
【図３】
0003701517.tif 000004
【図４】
0003701517.tif 000005
【図５】
0003701517.tif 000006